(57)【要約】【課題】  熟練を要することなしに、意匠性の高い組積み工事を行うことができるコンクリートブロックを提供する。【解決手段】  両端側に縦筋挿入用の凹部２を有するコンクリートブロック１において、少なくとも１端側の凹部２の外側縁に疑似目地４を形成することで、縦目地施工を省き、未習熟者でも組積み工事を行うことができるよう構成した。【選択図】図１
0003206385.tif 000002
【実用新案登録請求の範囲】
【請求項１】
両端側に縦筋挿入用の凹部を有するコンクリートブロックにおいて、少なくとも１端側の凹部の外側縁に疑似目地が形成されたことを特徴とするコンクリートブロック。
【請求項２】
前記凹部は、縦筋が挿入される入口側から出口側に向かって凹部内空間が縮小するよう形成されたことを特徴とする請求項１に記載のコンクリートブロック。
【考案の詳細な説明】
【技術分野】
【０００１】  本考案は、コンクリートブロックの組積み構造とこれに使用するコンクリートブロック等に関するものである。
【背景技術】
【０００２】  従来、コンクリートブロック等の組積み工事を行おうとする場合には、例えば、図５に示すような工程で実施されていた。すなわち、まず、組積みされるコンクリートブロックを準備（Ｓ１）した後、糸を張りコンクリートブロックの水平性や方向性を確認しつつ並列させる縦やり方（Ｓ２）を行い、既に並列したコンクリートブロックの横目地（コンクリートの上角部分）にモルタルを塗りつけ（Ｓ３）、並列したコンクリートブロックの上に次に積み上げるコンクリートブロックの稜角部にモルタルを塗り付ける縦目地モルタルのせ（Ｓ４）、積み上げる（Ｓ５）。その後、隣接するコンクリートブロックの空隙部分、及びコンクリートブロックの空洞部分にモルタルを充填（Ｓ６）し、所定の位置で横筋を配置（Ｓ７）し、隣接するコンクリートブロック間の体裁を保持するために、はみ出した余分のモルタルを鏝等で掻き取ると共にモルタルの部分を表面から突出しないよう、モルタル目地の仕上げ（Ｓ８、Ｓ９）を行い、完了させる。このような一連の作業を繰り返すことにより、コンクリートブロックの組積み工事が実施されている。【０００３】  組積みされたコンクリートブロックは、意匠性が求められる。そのため、例えば特許文献１では、意匠直線３を形成し接続用モルタルの接着面積を拡大させるとともに、側面５に目地代を設けないことで、意匠性を確保したコンクリートブロックが開示されている。
【先行技術文献】
【特許文献】
【０００４】
【特許文献１】実開昭５２−０７４６１１号公報
【考案の概要】
【考案が解決しようとする課題】
【０００５】  しかしながら、特許文献１に記載されたコンクリートブロックは、両側面に意匠直線を設けているため、製作コストが嵩む、また製品ごとの寸法公差により組積み後は意匠直線３が揃わない等の問題があった。【０００６】  また、従来の方法では、上下左右に隣接するコンクリートブロック間のモルタル量に注意しながら、レベルと水平性と方向性を保持しつつコンクリートブロックの積組みを行うことは、極めて熟練を要する作業であり、未習熟者が、コンクリートブロックを綺麗に組積むことは至難の技であった。さらに、隣接するコンクリートブロックの間からモルタルノロ（即ち、モルタルの滓部分）が滲出してコンクリートブロック壁面を汚すことが多く、この汚れの除去作業に手間がかかっていた。【０００７】  コンクリートブロック組積み工事のこのような困難性及び煩雑性は、工事費の高騰を招く一因となっており、さらなる改良が所望されていた。【０００８】  本考案は、上記のような課題に鑑みなされたものであり、熟練を要することなしに、意匠性の高い組積み工事を行うことができるコンクリートブロックを提供することを目的とする。
【課題を解決するための手段】
【０００９】  このため、本考案は、両端側に縦筋挿入用の凹部を有するコンクリートブロックにおいて、少なくとも１端側の凹部の外側縁に疑似目地が形成されたことを第一の特徴とする。【００１０】  また、前記凹部は、縦筋が挿入される入口側から出口側に向かって凹部内空間が縮小するよう形成されたことを第二の特徴とする。
【考案の効果】
【００１１】  本考案は以下の優れた効果を奏する。
（１）組積み作業の未習熟者であっても、容易、且つ美観良くコンクリートブロックを組積みすることが可能となる。
（２）少なくとも１端側に疑似目地を設けているため、縦目地施工を省くことができる。ひいては、工事費の低廉化を達成することが可能となる。
（３）凹部内空間が縦筋を挿入する入口側から出口側に向かって、すなわち、モルタルが挿入される方向に向かって縮小しているため、凹部内空間が同径の円筒空間に形成された場合に比べて、接着用モルタル量を削減できる。
【図面の簡単な説明】
【００１２】
【図１】本考案のコンクリートブロックに係る実施形態を示す斜視図である。
【図２】図１の（Ａ）が平面図、（Ｂ）がＡ−Ａ線断面である。
【図３】図１のコンクリートブロックを組積みした様子を示す斜視図である。
【図４】本考案のコンクリートブロックの組積み工事における作業工程を説明するフローチャートである。
【図５】従来のコンクリートブロックの組積み工事における作業工程を説明するフローチャートである。
【考案を実施するための形態】
【実施例】
【００１３】  以下、本考案の実施の形態を図面に基づいて説明するが、本考案はこれに限定されるものではない。尚、本考案で述べるコンクリートブロックとは、空洞コンクリートブロックや化粧コンクリートブロック、型枠コンクリートブロックが含まれる。【００１４】本考案のコンクリートブロックは、少なくとも１端側に疑似目地を設けるという構造的特徴部分を有することで、縦目地施工を省くことができるものである。すなわち、本考案のコンクリートブロック１は、モルタルを型枠（図示なし）に流し込んで概ね直方体形状に成形したものであって、矩形状の外装面１１を有してなり、図１、及び図２に示すように、縦筋等（図示せず）が挿入され、コンクリートやモルタル等が充填される半円形の凹部２が両端に形成されている。また、凹部２の内側には、打込み目地３が形成され、凹部２に充填されるモルタルを隣接するコンクリートブロック１間の凹部２に確実に充填させることができる。本明細書において、側面とは、組積みされたコンクリートブロック同士が接する面のうち、図１中では凹部２が設けられた面を指す。【００１５】  コンクリートブロック１の片側面のみ、凹部２の外面側縁に疑似目地４が形成され、隣接するコンクリートブロック１に当接する肉部５が設けられている。【００１６】  図２（Ｂ）に示すように、凹部２は縦筋が挿入される方向（図中上から下）に向けて外側方向へ僅かに傾斜する第一の傾斜部２１、及び第二の傾斜部２２からなる２段階の傾斜が形成されており、隣接するコンクリートブロック１間の空間を縦筋が挿入される方向に向けて狭くすることで、空間内にモルタルをしっかりと詰め込むことができる。【００１７】  以上のように構成されたコンクリートブロック１は、図３に示すように、上下方向及び水平方向に組積みされる。また、その施工手順を図４に示すが、従来例である図５と比較するために、同じ手順については、同一の符号を付し、施工手順について説明する。【００１８】  本考案のコンクリートブロック１は、図４に示すように、組積みされるコンクリートブロック１を準備（Ｓ１）した後、糸を張りコンクリートブロックの水平性や方向性を確認しつつ並列させる縦やり方（Ｓ２）を行い、既に並列したコンクリートブロックの横目地（コンクリートの上角部分）にモルタル（図３で示すモルタル８）を塗りつけ（Ｓ３）、積み上げる（Ｓ５）。その後、隣接するコンクリートブロックの空隙部分、及びコンクリートブロックの空洞部分にモルタルを充填（Ｓ６）し、所定の位置で横筋を配置（Ｓ７）し、鏝等で隣接するコンクリートブロック間の空隙部分に充填されているモルタル目地の仕上げ（Ｓ８）を行い、余分なモルタルを除去し、組積みされる。また、打込み目地３により、コンクリートブロック１同士の横方向の連結性を向上させるとともに、外面からの雨水の浸透防止、及び充填モルタルの中性化を防止することができる。【００１９】  したがって、本考案のコンクリートブロックは、意匠性の高い疑似目地４があらかじめ形成されているため、従来例に比べて縦目地モルタルの塗りつけ（Ｓ４）、及び縦目地仕上げ（Ｓ９）が不要となるうえに、組積み後には、図３に示すように、自ずと縦目地が形成される。【００２０】  尚、本考案の要旨は、コンクリートブロックの片方の端部に疑似目地を設けた点であり、本考案の要旨をしない範囲において自由に変更できるものである。したがって、例えば図２に示す空洞部１１を設けない、又は図示した有底形状を無底形状に変更しても良い。また、例えば意匠性をさらに高めるため、外装面に模様を施しても良い。
【符号の説明】
【００２１】１      本考案のコンクリートブロック
２      凹部
３      打込み目地
４      疑似目地
５      肉部
８      モルタル
１１    外装面
１２    空洞部
２１    第一の傾斜部
２２    第二の傾斜部
【図１】
0003206385.tif 000003
【図２】
0003206385.tif 000004
【図３】
0003206385.tif 000005
【図４】
0003206385.tif 000006
【図５】
0003206385.tif 000007